(57)【要約】【課題】ギャッチアップ型ベッドに用いた場合に二層式のマットレスの上層マットレス片がスライドする事により身体に対して沈み込みを防止し、褥瘡の発生を防止できる。また、マットレス構成体の間でマットレス片をローテーション交換して弾力性を持続させる事が出来る。【解決手段】ベッド上に列設する事によりマットレスを構成する３個のマットレス構成体１の各々は、上層中素材２及び下層中素材３を上層側地４及び下層側地５によって夫々被包した上層マットレス片６及び下層マットレス片７とから二層式に構成されており、該上層マットレス片６及び下層マットレス片７を着脱自在に着接し、各側地４、５の横方向一端側には開閉自在の蓋状開口部４Ａ、５Ａを設けて上層、下層中素材を出し入れ可能にした構成にしてある。【選択図】　　　図１
2004008616.tif 000002
【特許請求の範囲】
【請求項１】
ベッド上に列設する事によりマットレスを構成する複数のマットレス構成体の各々は、上層中素材及び下層中素材を上層側地及び下層側地によって夫々被包した上層マットレス片及び下層マットレス片とから構成され、該上層マットレス片及び下層マットレス片は上層、下層で着脱自在な二層式に形成しており、前記側地には上層、下層の中素材を出し入れ可能にする開閉自在の開口部を設けた構成にしてある事を特徴とする病院用分割型マットレス。
【請求項２】
前記マットレス構成体は上層マットレス片及び下層マットレス片の側地接触面である上層側地底面部及び下層側地上面部の外縁を除く中央周辺の少なくとも一部を縫着することにより二層式に形成した事を特徴とする請求項１記載の病院用分割型マットレス。
【請求項３】
前記上層及び下層側地は、少なくとも底面を含む外面に防滑加工を施した事を特徴とする請求項１又は請求項２記載の病院用分割型マットレス。
【請求項４】
前記上層、下層中素材及び側地は上層、下層ごとに夫々素材、形状、寸法を均一にして構成した事を特徴とする請求項１又は請求項２記載の病院用分割型マットレス。
【請求項５】
前記中素材には、少なくとも一部にウレタンチップフォームを使用したことを特徴とする請求項１又は請求項２記載の病院用分割型マットレス。
【請求項６】
前記マットレス片には不燃性又は難燃加工を施した素材を使用する事を特徴とする請求項１又は請求項２記載の病院用分割型マットレス。
【請求項７】
前記マットレス構成体のうち、上層マットレス片のみを従来のマットレス上に列設して使用する事を特徴とする請求項１記載の病院用分割型マットレス。
【発明の詳細な説明】
【０００１】
【発明が属する技術分野】
本発明は、複数のマットレス構成体からなる病院用分割型マットレスに関し、特にギャッチアップ型ベッドに用いて好適な病院用分割型マットレスに関する。
【０００２】
【従来の技術】
マットレスを複数のマットレス構成体から構成した分割型マットレスは従来から用いられているが、この分割型マットレスは複数のマットレス構成体の各々を中素材と、該中素材を被包する側地とから構成し、ベッド上に縦方向に列設して使用するものである。また、ベッドには足部や背部を支持する部分が隆起するように構成したギャッチアップ型ベッドがあり、この種のベッドに従来の分割型マットレスを使用すると各マットレス構成体が位置ずれするという問題がある。そこで隣接するマットレス構成体同士の底面側を例えば面ファスナーで連結した構成の分割型マットレスや、頭部、腰部、脚部の硬さが異なり更に三つ折り可能に面ファスナー等で接続した分割型マットレス等も提供されている。
【０００３】
【発明が解決しようとする課題】
しかし、従来の分割型マットレスはマットレス構成体のマットレス片が単層式のものであるため、ベッドをギャッチアップした場合に腰部が下がりズレが生じる事や、腰部や足部の湾曲する部分においてマットレスの上面と底面で湾曲の内周と外周の大きさの違いが生じ、腰部がマットレスに圧迫される欠点がある。また隣接するマットレス構成体の底面を面ファスナーで連結するマットレスは、折り畳む事が出来ない事や分離して洗濯する際に面ファスナーの取り外し作業が面倒であるという欠点がある。更に折り畳み可能なように面ファスナーで接続されているマットレスにおいても胸部、腰部、脚部の硬さが異なる設定にしてある事や、折り畳み可能にするための面ファスナー設置部の組み合わせがあるために、汚れた場合などの部分交換の際には各部位ごとでマットレス同士を交換しなくてはならないため、各部位全種類を揃えて交換作業をするため大変手間がかかる。
【０００４】
本発明は上述した従来技術の諸欠点や問題点に鑑みなされたもので、ギャッチアップ型ベッドに用いた場合に各マットレス構成体の上層マットレス片が下層マットレス片とのギャッチアップ時の湾曲の大きさの違いに対応して縦方向両端へ若干スライドをする事により腰部等の身体への負担を解消し、また従来使用されているマットレス上に使用する事でマットレスの廃棄を減らして体圧分散マットレスにする事ができ、更に２層式の各中素材は夫々が側地に被包されているので交換の出し入れが容易であるし複数のマットレス片同士の間でローテーション交換ができ、弾力性を持続させる事が出来る分割型マットレスを提供する事を目的とする。
【０００５】
【課題を解決するための手段】
上述した課題を解決するために構成された本発明の手段は、ベッド上に列設する事によりマットレスを構成する複数のマットレス構成体の各々は、上層中素材及び下層中素材を上層側地及び下層側地によって夫々被包した上層マットレス片及び下層マットレス片とから構成され、該上層マットレス片及び下層マットレス片は上層、下層で着脱自在な二層式に形成しており、前記側地には上層、下層の中素材を出し入れ可能にする開閉自在の開口部を設けた構成からなる。
【０００６】
また、前記マットレス構成体は上層マットレス片及び下層マットレス片の側地接触面である上層側地底面部及び下層側地上面部の外縁を除く中央周辺の少なくとも一部を縫着することにより二層式に形成すると良い。
【０００７】
そして、前記上層及び下層中素材を被包する側地は、少なくとも側地の底面を含む外面に防滑加工を施した構成にすると良い。
【０００８】
更に、前記上層、下層中素材及び側地は上層、下層ごとに夫々素材、形状、寸法を均一にして構成すると良い。
【０００９】
また、前記中素材には、少なくとも一部にウレタンチップフォームを使用すると良い。
【００１０】
前記マットレス片には不燃性又は難燃加工を施した素材を使用すると良い。
【００１１】
前記マットレス構成体のうち、上層マットレス片のみを従来のマットレス上に列設して使用すると良い。
【００１２】
【発明の実施の形態】
以下、本発明の実施の形態を図面に基づき詳述する。図において、１はギャッチアップ型ベッドＡに列設してマットレスを構成する３個のマットレス構成体を示す。該各マットレス構成体１は上層中素材２及び下層中素材３と該両中素材２、３を上層側地４及び下層側地５によって被包した、上層マットレス片６、下層マットレス片７からなる。該上層及び下層マットレス片６、７は前記上層側地４に施された防滑体８によって着接され前記マットレス構成体１を二層式に構成する。
【００１３】
前記上層中素材２及び下層中素材３は、従来のマットレスの縦方向（マットレス構成体の列設方向）を三等分に分割した寸法に形成されており、厚さは夫々が従来のマットレスの略半分の厚さで、扁平状立方体に形成されたものからなる。
【００１４】
また前記上層、下層中素材２、３は例えばウレタンフォーム等の弾性材料から成型し、上層中素材２の表面には使用時の当たりを柔らかくするため上面を略半球状の凹部と凸部を交互に連続形成した凹凸面に形成してある。更に下層中素材３のウレタンフォームの上面には古いウレタンフォームを使用したウレタンチップフォーム３Ａを約１０〜２０ｍｍ使用してある。これは、ベッドの頭部側を４５度以上ギャッチアップさせた場合にマットレスの内圧が低いと腰部が底づきして褥瘡が発生する危険性があるので、上層中素材２の凹凸面で使用時のあたりを自在に柔らかくし、下層中素材３のウレタンチップ固め３Ａによって下層中素材３からの突き上げを和らげ、底付きを防止して体圧分散する事で褥瘡発生を可及的に防止することにある。
【００１５】
更に、３個のマットレス構成体１を構成する各上層及び下層中素材２、３は上層、下層ごとに夫々素材、形状、寸法を均一にして形成する事により上層中素材２同士、または下層中素材３同士での位置交換を可能にしている。これはマットレス構成体１を構成する上層中素材２及び下層中素材３は使用場所、例えば腰部を支持するのと足部を支持するのとでは使用期間に伴いその弾力性に差が生じるため、適宜の使用期間に応じて各マットレス片のローテーションや部分交換をする事により長期使用に好適である事による。また、洗濯のための部分交換においても換え置きの各マットレス片の種類を一つにする事で交換作業を容易に出来る事による。
【００１６】
４、５は前記上層中素材２及び下層中素材３を被包する各側地を示す。該各側地４、５は前記各中素材２、３の側面を一体に覆うよう袋状に形成しており、該マットレス片側地４、５の横方向一端側には、前記各中素材２、３が出し入れ自在なように開閉自在の蓋状に形成された開口部４Ａ、５Ａが各側地４、５を二層式に着接した場合に内面側に現れるよう構成してある。
【００１７】
６、７は前記上層及び下層マットレス片を示し、前記上層、下層中素材２、３を前記各側地４、５によって被包したものを示す。
【００１８】
８は前記上層側地４及び下層側地５に施された防滑体を示す。該防滑体８は下層側地５の底面部５Ｂ、縦方向側面部５Ｃの表面全体と、上層側地底面部４Ｂの縦方向に対し中央の幅約２００ｍｍの位置に横方向へ帯状に多数、点状に形成したもので約４，０００〜７，０００ｃｐの低粘度の合成樹脂を付着させたものからなる。低粘度の合成樹脂を使用する事により接着面が平らになり防滑効果を高める事が出来る。
【００１９】
本実施の形態は上述の構成からなるもので、上述のように形成された、３個のマットレス構成体１、１、１をベッドＡの長手方向に沿って列設する事によりマットレスを構成する。マットレスとしての使用方法は従来の分割型マットレスと異なる所はないが、本実施の形態によればマットレス構成体１を上層及び下層マットレス片６、７によって二層式に構成し、下層マットレス片７に対して上層マットレス片６が防滑体８によって着接されているのでベッドＡをギャッチアップした場合においても上層中素材２が若干スライドする事で、使用者の体が下がる事によっての摩擦や圧迫される等の負担を解消し、褥瘡の発生を防止することができる。
【００２０】
また、下層側地５の底面部５Ｂ及び縦方向側面部５Ｃの表面に防滑体８を設ける事により、底面部５Ｂの防滑体７はベッドＡのボトムＢに密接状態を維持し、縦方向側面部５Ｃの防滑体８はマットレス構成体１、１、１同士の密接状態を維持するようにしたから、ギャッチアップによりマットレス構成体１、１、１が傾斜した状態になってもずり下がるのを防止できる。
【００２１】
更に、前記マットレス構成体１のうち上側マットレス片６のみを従来の単層式の分割型マットレスや一枚物マットレス上に列設して使用すると良い。これは従来病院で使用しているマットレス上にも該上層マットレス片６を列設して使用する事により、循環型社会に合わせて従来のマットレスを廃棄処分する事なく体圧分散マットレスにし、また褥瘡の発生も防止する事が出来るためである。
【００２２】
なお、本実施の形態ではマットレスを３個のマットレス構成体１で構成するとしたが、マットレス構成体１の個数は実施の形態に限定されるものではない。
【００２３】
図６及び図７は実施の形態の変形例を示す。その特徴は、下層側地５の底面部５Ｂ及び縦方向側面部５Ｃと、上層側地底面部４Ｂの縦方向に対し中央の幅約２００ｍｍの位置に横方向へ帯状に網状防滑体９を設けた事にある。この網状防滑体９は網状繊維に合成樹脂をコーティングしたもので側地４、５に縫着して設けてある。このような面状に展開する網状防滑体９を設ける事により、ベッドＡに対する防滑効果やマットレス構成体１同士の防滑効果を一層高める事ができる。
【００２４】
また図８は、上層と下層の着接方法の変形例を示す。その特徴は、上層側地底面部４Ｂ及び下層側地上面部５Ｄの縦方向に対し中央に約２００ｍｍの幅を開けた位置に長さ約４００ｍｍ、幅約３０ｍｍの面ファスナー１０を２本、横方向へ平行に並べ上層側地底面部４Ｂに雄面を縫着し、同様に下層側地上面部５Ｄに雌面を縫着して上層側地底面部４Ｂ及び下層側地上面部５Ｄの面ファスナー１０を接着させたものからなる。
【００２５】
更に、図９は実施の形態の変形例を示す。先ず、生地を縦方向約１００ｍｍ横方向約４００ｍｍの矩形状に形成した接続部材１１を一つのマットレス構成体１に付き二枚ずつ形成し縦方向を二つに折り畳む。これを上層側地底面部４Ｂ及び下層側地上面部５Ｄの縦方向に対し中央に約２００ｍｍの幅を開けた位置に接続部材１１を２枚、接続部材の折り畳んだ開閉部が外縁を向くよう横方向へ平行に並べ、上層側地底面部４Ｂ及び下層側地上面部５Ｄへ夫々縫着する事によって二層式に構成されている。
【００２６】
他にも、変形例として前記下層側地５の底面部５Ｂ及び縦方向側面部５Ｃには熱遮断性生地を使用すると良い。熱遮断性生地には例えばポリエステル捲縮加工糸で編成した吸収拡散性及び速乾効果を有する吸収拡散性生地に膜厚１０〜３０μの耐熱性ポリエチレン合成ゴムからなるフィルムをラミネートしたものを用いると良い。
【００２７】
この熱遮断性生地を用いるとマットレスに寝ている人の体温がベッドＡ側に伝達されるのを遮断し、スチール製や合成樹脂製のベッドとマットレスとに温度差が生じて結露が発生するのを防止するから、マットレスへのカビ発生を防止する事ができる。また、耐熱性ポリエチレン合成ゴムのフィルムは、洗濯によっても風合が変化する事がなく、特に塩素に対して高い耐久性を有し、次亜塩素酸ソーダによる殺菌処理に対しても劣化する事がない利点がある。また、ベッドＡに対する防滑効果も有しているので、前述した防滑体８を更に設ける必要がない。
【００２８】
【発明の効果】
本発明は以上詳述した如く構成したから、下記の諸効果を奏する。
（１）上層、下層の中素材は各側地によって被包しておりマットレス片は若干のスライドを可能にするよう着接した事により、ベッドをギャッチアップした場合に上層マットレス本体が身体と一緒に上方へ移動し、身体が下がる事による圧迫やずれ、摩擦を防止するようにしたから、褥瘡の発生を可及的に防止することができる。
（２）上層、下層マットレス片の素材、形状、寸法を上層、下層で夫々均一に構成したので、複数のマットレス構成体の間で夫々上層、下層マットレス片同士のローテーション、部分交換ができ弾力性を持続させる事ができるのでマットレス片の長期使用が可能になりゴミを減少させる事ができる。
（３）各側地には、少なくとも底面を含む外面に防滑加工処理をしてあるのでベッドに対する防滑効果及びマットレス構成体同士の防滑効果に優れており、ギャッチアップ型ベッドに用いてもマットレス構成体がずり下がる事を防止できる。
（４）マットレス構成体のうち上層マットレス片のみを従来マットレス上に列設しても使用可能なので従来使用されているマットレスを廃棄処分する事なく利用でき環境にも良く、更に二層式マットレスにして摩擦やずれ、圧迫などを防止して褥瘡発生を解消する事が出来る。
【図面の簡単な説明】
【図１】本発明の実施の形態に係る病院用分割型マットレスの全体構成を示す斜視図である。
【図２】マットレス構成体の表面側を示す斜視図である。
【図３】マットレス構成体の裏面側を示す斜視図である。
【図４】図２中のＡ−Ａ矢印方向の拡大断面図である。
【図５】病院用分割型マットレスを設置したベッドをギャッチアップした状態の側面図である。
【図６】変形例に係るマットレス構成体の裏面側を示す斜視図である。
【図７】図５の部分拡大図である。
【図８】変形例に係るマットレス構成体の表面側及び内面側を示す参考斜視図である。
【図９】変形例に係るマットレス構成体の表面側及び内面側を示す参考斜視図である。
【符号の説明】
１　　　　　マットレス構成体
２　　　　　上層中素材
３　　　　　下層中素材
３Ａ　　　　ウレタンチップフォーム
４　　　　　上層側地
５　　　　　下層側地
４Ａ、５Ａ　開口部
４Ｂ、５Ｂ　底面部
５Ｃ　　　　縦方向側面部
５Ｄ　　　　上面部
６　　　　　上層マットレス片
７　　　　　下層マットレス片
８　　　　　防滑体
９　　　　　網状防滑体
１０　　　　面ファスナー
１１　　　　接続部材
Ａ　　　　　ベッド
【図１】
2004008616.tif 000003
【図２】
2004008616.tif 000004
【図３】
2004008616.tif 000005
【図４】
2004008616.tif 000006
【図５】
2004008616.tif 000007
【図６】
2004008616.tif 000008
【図７】
2004008616.tif 000009
【図８】
2004008616.tif 000010
【図９】
2004008616.tif 000011
【手続補正書】
【提出日】平成14年7月16日(2002.7.16)
【手続補正１】
【補正対象書類名】明細書
【補正対象項目名】０００２
【補正方法】変更
【補正の内容】
【０００２】
【従来の技術】
マットレスを複数のマットレス構成体から構成した分割型マットレスは従来から用いられているが、この分割型マットレスは複数のマットレス構成体の各々を中素材と、該中素材を被包する側地とから構成し、ベッド上に縦方向に列設して使用するものである。また、ベッドには脚部や背部を支持する部分が隆起するように構成したギャッチアップ型ベッドがあり、この種のベッドに従来の分割型マットレスを使用すると各マットレス構成体が位置ずれするという問題がある。そこで隣接するマットレス構成体同士の底面側を例えば面ファスナーで連結した構成の分割型マットレスや、胸部、腰部、脚部の硬さが異なり更に三つ折り可能に面ファスナー等で接続した分割型マットレス等も提供されている。